(57)【要約】【課題】処理容器の内部の底面を形成する底面網の目詰まりを解消することができ、生ゴミが含有する余剰な水分を良好に除去することができる生ゴミ処理装置を提供する。【解決手段】生ゴミが投入される処理容器３０と、該処理容器３０に投入された生ゴミを攪拌する攪拌部材３５，３６と、前記処理容器３０の内部の底面を形成する底面網３７と、該底面網３７の下方に設けられた排水部３８と、該排水部３８に設けられた排水口３８ａと、該排水口３８ａを開閉する排水弁３８ｂと、前記排水部３８を通じて、前記底面網３７の下側から前記処理容器３０内の底部に空気を供給する底部空気供給手段８０とを備える。【選択図】図１
2005288408.tif 000002
【特許請求の範囲】
【請求項１】
生ゴミが投入される処理容器と、
該処理容器に投入された生ゴミを攪拌する攪拌部材と、
前記処理容器の内部の底面を形成する底面網と、
該底面網の下方に設けられた排水部と、
該排水部に設けられた排水口と、
該排水口を開閉する排水弁と、
前記排水部を通じて、前記底面網の下側から前記処理容器内の底部に空気を供給する底部空気供給手段と
を備えることを特徴とする生ゴミ処理装置。
【請求項２】
前記底部空気供給手段は、
空気供給源から供給された空気を蓄えるアキュムレーターと、
該アキュムレーターと前記処理容器とを接続する空気配管と、
電磁弁により構成され、前記空気配管の管路を開閉する開閉弁と
を有してなることを特徴とする請求項１に記載の生ゴミ処理装置。
【請求項３】
前記排水弁を閉じた上で前記底部空気供給手段を作動させる底部空気制御手段を備えることを特徴とする請求項１または請求項２に記載の生ゴミ処理装置。
【発明の詳細な説明】
【技術分野】
【０００１】
本発明は、生ゴミ処理装置に関するものであり、特に、家庭や事業所から生じる生ゴミ（厨芥類）を微生物によって分解することにより、生ゴミを、堆肥化したり、減量化または消滅化するといった処理を行う生ゴミ処理装置に関するものである。
【背景技術】
【０００２】
一般家庭で発生するゴミの約５０％は、生ゴミである。また、デパート、スーパー、青果市場、鮮魚市場等の生鮮食品を取り扱う事業所や、食堂、喫茶店、居酒屋等の飲食物を提供する事業所では、１日にｔ単位の生ゴミを生じさせるところもある。そして、生ゴミの発生量は、経済発展や生活の高度化とともに増え続けており、生ゴミを処理するためには、多額の処理費が必要とされている。一方、生ゴミ処理の対策として、生ゴミが発生する個々の家庭や事業所にて、小型バッチ炉等により焼却することもあるが、近年においては、ダイオキシン問題により、個々の家庭や事業所にて生ゴミを焼却処理することは困難となっている。
【０００３】
このような実状の中、微生物を活用して生ゴミを分解する処理が注目されている。このように微生物により生ゴミを分解処理することで、生ゴミを堆肥化して有効利用することができる。また、生ゴミを微生物によって分解処理すると、微生物の増殖により、生ゴミの成分が水及び二酸化炭素に変換されることから、生ゴミを実質的に減量化或いは消滅化させることができる。そして、このように生ゴミを微生物により分解するための生ゴミ処理装置としては、種々のものが案出されており、中には、生ゴミが投入される処理容器の内部の底面が底面網により形成され、この底面網の下方に排水部と排水口と排水弁とが設けられたものもある。このような生ゴミ処理装置では、排水弁を開くことで、底面網から滴下した水を、排水部を通じて排水口から排出させることができ、生ゴミが含有する余剰な水分を除去することができる。ところで、生ゴミを微生物により分解処理させるためには、生ゴミを攪拌することが好適である。よって、生ゴミ処理装置として、処理容器に投入された生ゴミを攪拌する攪拌部材を備えたものも種々、案出されている。
【０００４】
上記背景技術は、一般的になされている事項であり、本願出願人は、出願時において、この背景技術を特定するような記載がなされた文献を特に知見していない。
【発明の開示】
【発明が解決しようとする課題】
【０００５】
しかしながら、処理容器の内部の底面が底面網により形成された生ゴミ処理装置において、攪拌部材を設けて生ゴミを攪拌することとすると、底面網に生ゴミが押し付けられるため、底面網の網目に生ゴミが詰まる所謂「目詰まり」が生じ易く、生ゴミの余剰な水分を良好に除去することができなくなってしまう。
【０００６】
本発明は、上記実状を鑑みてなされたものであり、処理容器の内部の底面を形成する底面網の目詰まりを解消することができ、生ゴミが含有する余剰な水分を良好に除去することができる生ゴミ処理装置の提供を課題とするものである。
【課題を解決するための手段】
【０００７】
上述した課題を解決するために本発明の採った手段は、
「生ゴミが投入される処理容器と、
該処理容器に投入された生ゴミを攪拌する攪拌部材と、
前記処理容器の内部の底面を形成する底面網と、
該底面網の下方に設けられた排水部と、
該排水部に設けられた排水口と、
該排水口を開閉する排水弁と、
前記排水部を通じて、前記底面網の下側から前記処理容器内の底部に空気を供給する底部空気供給手段と
を備えることを特徴とする生ゴミ処理装置」
である。
【０００８】
上記構成の生ゴミ処理装置では、底部空気供給手段によって、底面網の下側から空気が供給されるため、底面網の下側から上側へと流通する空気によって、底面網の目詰まりが解消される。従って、この生ゴミ処理装置によれば、処理容器の内部の底面を形成する底面網の目詰まりを解消することができ、生ゴミが含有する余剰な水分を良好に除去することができる。
【０００９】
また、底部空気供給手段によって、底面網から処理容器内に空気が供給されるため、空気が不足がちとなる処理容器内部の底部に新鮮な空気が供給されることになる。このため、生ゴミ全体が空気に良好に曝されることになり、微生物の繁殖が促進される。よって、微生物による生ゴミの分解処理効率を向上させることもできる。
【００１０】
上述の生ゴミ処理装置において、
「前記底部空気供給手段は、
空気供給源から供給された空気を蓄えるアキュムレーターと、
該アキュムレーターと前記処理容器とを接続する空気配管と、
電磁弁により構成され、前記空気配管の管路を開閉する開閉弁と
を有してなることを特徴とする生ゴミ処理装置」
としてもよい。
【００１１】
上記構成の生ゴミ処理装置では、アキュムレーターを備え、アキュムレーターからの管路を開閉する開閉弁が電磁弁により構成されているため、底部空気供給手段によって、処理容器内の底部に、多量な空気が瞬時に供給される。よって、底面網の全面に渡って、下側から上側へと空気が強く吹き付けられることになり、底面網の網目に詰まった生ゴミは、強い力で吹き飛ばされる。従って、この生ゴミ処理装置によれば、底面網の目詰まりを良好に解消することができる。
【００１２】
上記構成の生ゴミ処理装置において、
「前記排水弁を閉じた上で前記底部空気供給手段を作動させる底部空気制御手段を備えることを特徴とする生ゴミ処理装置」
としてもよい。
【００１３】
底部空気供給手段から処理容器内に空気を供給する際には、排水口の排水弁を閉じることが好適である。何故ならば、排水弁を閉じることで、底部空気供給手段から排水部に供給された空気が排水口から漏れ出ることがなく、処理容器内に多量の空気を送ることができるからである。ところで、手動操作によって、排水弁を閉じた上で底部空気供給手段を作動させることとしてもよいが、このような態様では、操作が煩雑なる。また、排水弁を閉じる忘れて底部空気供給手段を作動させると、排水口から空気と共に排水が噴出し、排水が周辺に飛散することもある。
【００１４】
そこで、上記構成の生ゴミ処理装置では、底部空気制御手段によって、排水弁を閉じた上で底部空気供給手段を作動させることとする。この生ゴミ処理装置によれば、底部空気供給手段によって処理容器内に空気を供給するに際して、操作が煩雑とならない。また、排水弁の閉め忘れによって、排水口から空気と共に排水が噴出することもない。
【発明の効果】
【００１５】
上述した通り、本発明に係る生ゴミ処理装置によれば、処理容器の内部の底面を形成する底面網の目詰まりを解消することができ、生ゴミが含有する余剰な水分を良好に除去することができる。
【発明を実施するための最良の形態】
【００１６】
以下、本発明の一実施形態である生ゴミ処理装置について、図面に基づいて詳細に説明する。
【００１７】
図１〜３に示すように、生ゴミ処理装置１０は、生ゴミを堆肥化したり、減量化または消滅化させる装置であり、主な構成として、装置全体を受ける基台２０と、生ゴミ及び微生物が投入される処理容器３０とを備えている。ここで、基台２０には、キャスター２１が設けられており、生ゴミ処理装置１０は、容易に移動させることができる構造となっている。また、処理容器３０の両端部及び下部、並びに、処理容器３０の周囲に配設された各種機器（詳細は後述する）は、カバー２２によって隠蔽されている。
【００１８】
処理容器３０は、全体が略円筒状にされており、その内部は、区画部３３によって、第１処理領域３１と第２処理領域３２との二つの処理領域に、横方向に区画されている。ここで、本例では、処理容器３０内部における略下半分の空間が区画されているが、区画部３３によって、処理容器３０内部を全高に渡って区画してもよい。換言すれば、処理容器３０の内部空間を、区画部３３によって分断して、第１処理領域３１と第２処理領域３２とを完全に遮断してもよい。
【００１９】
処理容器３０の上面の適宜部位には、第１処理領域３１に生ゴミ及び微生物を投入するための第１投入口３１ａと、第２処理領域３２に生ゴミ及び微生物を投入するための第２投入口３２ａとが設けられている。ここで、本例では、第２投入口３２ａに、粉砕機３２ｂが設けられており、鳥獣類の骨、魚類の骨、貝殻等の硬い生ゴミや大きな生ゴミを細かく粉砕して、処理容器３０内に投入することができる構造となっている。硬い生ゴミや大きな生ゴミを細かく粉砕することにより、微生物による生ゴミの分解速度を速めることができる。なお、粉砕機３２ｂは公知のものであり、モータ等の粉砕機用駆動装置３２ｃによって駆動される。
【００２０】
第１処理領域３１と第２処理領域３２とには、モータ等の回転軸駆動装置３４ａによって回転駆動される回転軸３４が貫設されている。この回転軸３４には、その外周面に第１攪拌部材３５と第２攪拌部材３６とが突設されており、回転軸３４の回転に伴って第１攪拌部材３５及び第２攪拌部材３６が回転することで、第１処理領域３１に投入された生ゴミが第１攪拌部材３５によって攪拌され、第２処理領域３２に投入された生ゴミが第２攪拌部材３６によって攪拌される。
【００２１】
このように、処理容器３０の内部を第１処理領域３１と第２処理領域３２とに区画することで、第１処理領域３１及び第２処理領域３２の夫々に投入された生ゴミが混ざり合うことがなく、また、第１処理領域３１及び第２処理領域３２の夫々に投入された微生物も混ざり合うことがない。よって、この生ゴミ処理装置１０では、第１処理領域３１と第２処理領域３２とにおいて、生ゴミが個別に分解処理されることになり、投入する生ゴミの種類に応じて適宜選択した微生物を投入することで、微生物を良好に繁殖させることができ、分解処理効率を向上させることができる。しかも、第１処理領域３１及び第２処理領域３２に投入された生ゴミを攪拌する第１攪拌部材３５及び第２攪拌部材３６は、共通の回転軸３４により回転駆動されるため、第１攪拌部材３５及び第２攪拌部材３６の夫々を個別に回転駆動する構造を必要とせず、生ゴミ処理装置１０全体をコンパクトに納めることができる。
【００２２】
生ゴミ処理装置１０は、処理容器３０内に外部から空気を供給するための空気供給手段４０を備えている。この空気供給手段４０は、第１処理領域３１側に空気を供給する第１空気供給手段４１と、第２処理領域３２側に空気を供給する第２空気供給手段４２とを具備するものである。また、第１空気供給手段４１及び第２空気供給手段４２の夫々は、ダクト４３と、ダクト４３に内蔵された送風ファン４４とから構成されている。送風ファン４４の回転によって、外部から処理容器３０内に新鮮な空気が供給される（図１，２の矢印Ａ１，Ａ２参照）。
【００２３】
また、この生ゴミ処理装置１０は、微生物による生ゴミの分解処理に際して水分が不足する場合に、処理容器３０内に水を供給するための水供給手段５０を備えている。この水供給手段５０は、第１処理領域３１側に水を供給する第１水供給手段５１と、第２処理領域３２側に水を供給する第２水供給手段５２とを具備するものである。また、第１水供給手段５１及び第２水供給手段５２の夫々は、水道管や給水タンク等の水供給源（図示しない）に接続された水配管５３と、第１処理領域３１側の水配管５３及び第２処理領域３２側の水配管５３の各管路を、夫々、個別に開閉する二つの止水弁５４とから構成されている。
【００２４】
ここで、第１水供給手段５１の水配管５３及び第２水供給手段５２の水配管５３は、夫々、第１処理領域３１の上部及び第２処理領域３２の上部に延設されており、各水配管５３に設けられた吐水口から水が吐水され、第１処理領域３１及び第２処理領域３２の夫々に、新鮮な水が個別に供給される（図１の矢印Ｂ１，Ｂ２参照）。なお、本例では、吐水口として、水を霧状に噴霧する噴霧ノズルを採用しており、処理容器３０内に供給された水は、この噴霧ノズルから生ゴミの表面の全面に渡って広範囲に散布される。
【００２５】
一方、処理容器３０の底面は、夫々、第１処理領域３１及び第２処理領域３２ともに、生ゴミが通過しない程度の網目の底面網３７により構成されており、処理容器３０の内部の下部は、底面網３７の下側が排水部３８となっている。生ゴミの水分量が多過ぎる場合や、微生物による生ゴミの分解処理により水分量が多くなった場合に、底面網３７から水が滴下して、生ゴミ中の余剰な水分が、排水部３８を通じて、排水口３８ａから排出される。ここで、本例では、排水口３８ａに、油分を良好にろ過する紙製の排水フィルター３８ｃが交換可能に装着されており、排水から油分を除去して、排水を下水道や野外にそのまま流すことができる構造となっている。また、排水部３８は、排水口３８ａ側に下り傾斜しており、排水部３８内の水は、排水口３８ａから円滑に排水される。
【００２６】
また、この生ゴミ処理装置１０は、排水口３８ａに排水弁３８ｂと、排水部３８を通じて底面網３７から処理容器３０内の底部に空気を供給する底部空気供給手段８０とを備えている。ここで、底部空気供給手段８０は、コンプレッサー等の空気供給源（図示省略）に接続され、排水部３８にて開放された空気配管８１と、この空気配管８１の管路を開閉する空気開閉弁８２と、空気供給源から供給された空気を蓄えるアキュムレーター８３とから構成されている。
【００２７】
底面網３７に目詰まりを生じた場合には、排水弁３８ｂを閉じた上で、底部空気供給手段８０から排水部３８に空気を供給し、底面網３７の下面から上面へと空気を流通させることで、底面網３７の目詰まりが解消される（図１，３の矢印Ｃ参照）。なお、本例では、空気開閉弁８２が電磁弁により形成されており、しかも、底部空気供給手段８０にアキュムレーター８３が設けられている。このため、底面網３７全体に、多量な空気が瞬時に吹き付けられる。よって、底面網３７の目詰まりが良好に解消される。
【００２８】
ところで、底部空気供給手段８０から処理容器３０内の底部に空気を供給することで、生ゴミの下側から生ゴミ全体の内部に空気を積極的に混入させることができ、これにより、微生物の分解処理を促進させることができる。よって、底面網３７の目詰まり防止のためばかりでなく、生ゴミ全体への空気混入のために、底部空気供給手段８０を作動させることとしてもよい。
【００２９】
また、この生ゴミ処理装置１０は、微生物による生ゴミの分解処理に際して温度が低い場合に、処理容器３０内に投入された生ゴミを加熱するための加熱手段６０を備えている。この加熱手段６０は、第１処理領域３１側の生ゴミを加熱する第１加熱手段６１と、第２処理領域３２側の生ゴミを加熱する第２加熱手段６２とを具備するものである。また、第１加熱手段６１及び第２加熱手段６２の夫々は、処理容器３に外面に取付けられたヒータ６３から構成されている。さらに、本例では、第１空気供給手段４１のダクト４３及び第２空気供給手段４２のダクト４３にも、夫々個別のヒータ４５が取付けられており、空気供給手段４０から処理容器３０内に温風が供給される構造となっている。よって、本例では、第１空気供給手段４１のヒータ４５及び第２空気供給手段４２のヒータ４５によっても、加熱手段６０が構成されている。なお、上述した底部空気供給手段８０にヒータ等の加熱手段６０を設けて、底部空気供給手段８０から温風を供給することとしても、微生物の繁殖に好適な温度となるように、生ゴミ全体を良好に加熱することができる。
【００３０】
さらに、この生ゴミ処理装置１０は、磁界発生手段７０をも備えている。ここで、本例では、磁界発生手段７０が、処理容器２０の下部周囲に巻回された電磁コイルから形成されており、この電磁コイルへの通電によって、処理容器３０内に磁界を発生させるものとなっている。また、磁界発生手段７０を構成する電磁コイルは、空気供給手段４０を構成するダクト４３、及び、水供給手段５０を構成する水配管５３を含めて、処理容器３０の周囲に巻回されている。
【００３１】
よって、この磁界発生手段７０は、空気供給手段４０から供給される空気を磁界処理し、しかも、水供給手段５０から供給される水も磁界処理するものとなっている。換言すれば、磁界発生手段７０は、処理容器３０内に供給される空気や水を磁界処理する磁界処理手段、より詳しくは、処理容器３０内に供給される空気を磁界処理する空気磁界処理手段、及び、処理容器３０内に供給される水を磁界処理する水磁界処理手段を兼用するものとなっている。
【００３２】
空気供給手段４０から供給される空気を磁界処理することで、滅菌された空気を処理容器３０内に取り入れることができ、微生物を、雑菌により阻害されることなく、良好に繁殖させることができる。また、酸素や窒素等の気体のクラスター（粒子）が微細化された空気を処理容器３０内に取り入れることができ、微生物を活性化させることもできる。
【００３３】
一方、水供給手段５０から供給される水を磁界処理することで、供給される水についても、雑菌の減少化及びクラスターの微細化を図ることができ、微生物を良好に繁殖させると共に活性化させることができる。しかも、処理容器３０内部においても、磁界が発生していることから、空気を構成する気体のクラスターや水のクラスターを微細化されたままの状態で維持させることができ、これにより微生物の良好な活性化を維持させることができる。また、処理容器３０内部の形成された磁界により、微生物の生育環境が向上し、これによっても、微生物を活性化させることができる。
【００３４】
なお、本例では、磁界発生手段７０が、交流電流によって磁界を形成する電磁コイルを用いて構成されており、この磁界発生手段７０によれば、交流電流の振動数に応じて磁力線の方向が変動する。このため、微生物に作用する磁力線の方向の絶え間ない変動によっても、微生物の活性化が促進される構造となっているが、これに限らず、直流電流によって磁界を形成する電磁コイルを用いたり、永久磁石を用いたものとしてもよい。
【００３５】
また、処理容器３０、ダクト４３及び水配管５３は、ステンレス鋼や亜鉛めっき鋼等の鉄系の磁性材料により形成されている。ここで、磁力線を透過し易くするために、磁界発生手段７０に対応する部位を部分的に、非磁性金属、樹脂、陶磁器等の非磁性材料により形成してもよい（図１，３の斜線部分参照）。また、全部を非磁性材料により形成してもよい。
【００３６】
ところで、この生ゴミ処理装置１０は、操作部（図示省略）と、操作部での操作により作動する制御装置（図示省略）とを備えており、回転軸３４や粉砕機３２ｂ等の主要機器の駆動が制御装置によって制御されるのであるが、上述した空気供給手段４０、水供給手段５０、底部空気供給手段８０、加熱手段６０及び磁界発生手段７０も、制御装置によって駆動が制御される。次に、制御装置による空気供給手段４０、水供給手段５０、底部空気供給手段８０、加熱手段６０及び磁界発生手段７０の各制御について説明する。
【００３７】
図４に示すように、制御装置９０は、機能的構成として、空気供給手段４０を制御する空気制御手段９４、水供給手段５０を制御する水制御手段９５、加熱手段６０を制御する加熱制御手段９６、底部空気供給手段８０を制御する底部空気制御手段９８、及び、磁界発生手段７０を制御する磁界制御手段９７とを備える。
【００３８】
空気制御手段９４は、空気供給手段４０を構成する第１空気供給手段４１と第２空気供給手段４２とを個別に制御するものである。第１空気供給手段４１から処理容器３０内に供給される空気量と、第２空気供給手段４２から処理容器３０内に供給される空気量とを個別に調節することで、処理容器３０内に空気の淀みを生じ難くすることができ、微生物に新鮮な空気を与えることができる。
【００３９】
水制御手段９５は、水供給手段５０を構成する第１水供給手段５１と第２水供給手段５２とを個別に制御するものである。ここで、第１処理領域３１及び第２処理領域３２の夫々には、水分量を検出する公知の水分センサ５５が設けられており、水制御手段９５は、各水分センサ５５による水分量の検出結果に基づいて、第１処理領域３１及び第２処理領域３２の夫々が予め設定された水分量で維持されるように、第１水供給手段５１及び第２水供給手段５２の駆動を個別に制御する。第１水供給手段５１から第１処理領域３１に供給される水分量と、第２水供給手段５２から第２処理領域３２に供給される水分量とを個別に調節することで、第１処理領域３１と第２処理領域３２との夫々において、個別に、微生物の繁殖に適した水分量の環境を形成することができ、これにより、微生物を良好に繁殖させることができる。また、第１水供給手段５１または第２水供給手段５２の一方から水を供給すると共に、他方からの水の供給を絶つことで、第１処理領域３１または第２処理領域３２の一方にて、生ゴミを湿式処理すると同時に、他方にて、生ゴミを乾式処理することができる。
【００４０】
底部空気制御手段９８は、底部空気供給手段８０と排水弁３８ｂとを制御して、底面網３７の下側から処理容器３０内の底部に空気を供給するものである。ここで、底面網３７の目詰まりを防止するためには、タイマーを用いて、適宜インターバルで定期的に底部空気供給手段８０及び排水弁３８ｂを作動させて、底面網３７に空気を吹き付けるようにすればよい。また、生ゴミを乾式処理する場合には、常時、或いは、頻繁に、処理容器３０の底部に空気を供給するようにして、生ゴミ全体が効率よく空気に曝されるようにすればよい。
【００４１】
加熱御手段９６は、加熱手段６０を構成する第１加熱手段６１と第２加熱手段６２とを個別に制御するものである。ここで、第１処理領域３１及び第２処理領域３２の夫々には、温度を検出する公知の温度センサ６４が設けられており、加熱制御手段９６は、各温度センサ６４による温度の検出結果に基づいて、第１処理領域３１及び第２処理領域３２の夫々が予め設定された温度で維持されるように、第１加熱手段６１及び第２加熱手段６２の駆動を個別に制御する。第１加熱手段６１により加熱される第１処理領域３１の生ゴミの温度と、第２加熱手段６２により加熱される第２処理領域３２の生ゴミの温度とを個別に調節することで、第１処理領域３１と第２処理領域３２との夫々において、個別に、微生物の繁殖に適した温度の環境を形成することができ、これにより、微生物を良好に繁殖させることができる。
【００４２】
磁界制御手段９７は、磁界発生手段７０の駆動を制御して、具体的には、電磁コイルに通電する電力の電流や電圧を制御して、処理容器３０内に形成される磁界の磁力、ダクト４３内に形成される磁界の磁力、及び、水配管５３内に形成される磁界の磁力を調節するものである。ここで、空気供給手段５０によって処理容器３０内に空気を供給する際において、この供給される空気を大きな磁力によって磁界処理したい場合や、水供給手段５０によって処理容器３０内に水を供給する際において、この供給される水を大きな磁力によって磁界処理したい場合には、磁界制御手段９７によって、一時的に大きな磁力を発生させるように磁界発生手段７０を制御すればよい。
【００４３】
以上、本発明に係る生ゴミ処理装置の一例を示したが、本発明に係る生ゴミ処理装置はこれに限らず、本発明の要旨を逸脱しない範囲で、適宜の変更が可能であり、処理容器３０内部を区画する区画部３３、空気供給手段４０、水供給手段５０、加熱手段６０、磁界発生手段７０等の適宜の手段を省略した生ゴミ処理装置の広範囲に適用することができるものである。
【図面の簡単な説明】
【００４４】
【図１】本発明に係る生ゴミ処理装置の一例を示す断面側面図である。
【図２】図１に示した生ゴミ処理装置の断面平面図である。
【図３】図１に示した生ゴミ処理装置の正面図である。
【図４】生ゴミ処理装置の制御装置を示すブロック図である。
【符号の説明】
【００４５】
１０    生ゴミ処理装置
２０    基台
２１    キャスター
２２    カバー
３０    処理容器
３１    第１処理領域
３１ａ  第１投入口
３２    第２処理領域
３２ａ  第２投入口
３２ｂ  粉砕機
３２ｃ  粉砕機用駆動装置
３３    区画部
３４    回転軸
３４ａ  回転軸用駆動装置
３５    第１攪拌部材
３６    第２攪拌部材
３７    底面網
３８    排水部
３８ａ  排水口
３８ｂ  排水弁
３８ｃ  排水フィルター
４０    空気供給手段
４１    第１空気供給手段
４２    第２空気供給手段
４３    ダクト
４４    送風ファン
４５    ヒーター
５０    水供給手段
５１    第１水供給手段
５２    第２水供給手段
５３    水配管
５４    止水弁
５５    水分センサ
６０    加熱手段
６１    第１加熱手段
６２    第２加熱手段
６３    ヒーター
６４    温度センサ
７０    磁界発生手段（磁界処理手段、空気磁界処理手段、水磁界処理手段）
８０    底部空気供給手段
８１    空気配管
８２    開閉弁
８３    アキュムレーター
９０    制御装置
９４    空気制御手段
９５    水制御手段
９６    加熱制御手段
９７    磁界制御手段
９８    底部空気制御手段
【図１】
2005288408.tif 000003
【図２】
2005288408.tif 000004
【図３】
2005288408.tif 000005
【図４】
2005288408.tif 000006